(57)【特許請求の範囲】
【請求項１】
被加温・加湿物を保持する保持槽と、該保持槽の底である仕切り板の下に設けられ前記保持槽内を前記仕切り板を介して超音波加湿する圧電セラミクス加湿部と、前記保持槽の内側側面に設けられ前記保持槽内を加温するセラミクスヒーターと、前記保持槽の内側側面に設けられ前記保持槽内の温度を検出する温度センサーと、前記保持槽の内側側面に設けられ前記保持槽内の湿度を検出する湿度センサーと、前記温度センサー及び湿度センサーで検出した信号と予め設定した設定値とに基づき前記保持槽内の温度及び湿度を調整する温度・湿度調整装置と、前記温度及び湿度の異常時に前記圧電セラミクス加湿部、前記セラミクスヒーター及び前記温度・湿度調整装置を保護する機能保護装置とを具備し、
前記圧電セラミクス加湿部は、水を貯える水槽容器と、前記水を振動させる圧電セラミクス振動部とを有し、
前記圧電セラミクス振動部は、圧電セラミクス振動子と該圧電セラミクス振動子に固定され前記圧電セラミクス振動子の厚み振動を受けるステンレス薄板とを有し、前記保持槽内を前記水槽容器の水温で前記水をキャビテーションさせて霧化し水蒸気状態にするように構成され、
前記仕切り板には、前記霧化した水蒸気を前記保持槽内に漏れ出させる蒸気穴を設け、
前記セラミクスヒーターは、前記保持槽内の槽内温度をインバーター制御で予め設定された設定温度に急速加温するように構成されていることを特徴とする介護物の加温・加湿保持装置。
【請求項２】
請求項１において、前記機能保護装置は、前記保持槽内の湿度が異常状態になったとき、すなわち電源投入後一定時間を経ても尚、前記設定値の範囲外で、かつ前記設定値範囲外の湿度がある時間以上継続したときには、前記設定値範囲外と継続時間とのＡＮＤ条件で前記圧電セラミクス加湿部にかかる電源を一時遮断させ直ちに警報表示させる機能と、
前記保持槽内の温度が異常状態になったとき、すなわち電源投入後一定時間を経ても尚、前記設定値の範囲外で、かつ前記設定値範囲外の温度がある時間以上継続したときには、前記設定値範囲外と継続時間とのＡＮＤ条件で前記セラミクスヒーターにかかる電源を一時遮断させ直ちに警報表示させる機能とを有することを特徴とする介護物の加温・加湿保持装置。
【請求項３】
請求項１において、前記機能保護装置は、加湿用の水の貯水量が異常状態になったとき、すなわち前記水槽容器に貯えられる水量が設定値以下で、かつその状態がある時間以上継続したときには、前記貯水量の設定値範囲外と継続時間とのＡＮＤ条件で前記圧電セラミクス加湿部及び前記セラミクスヒーターにかかる電源を一時遮断させ直ちに警報表示させる機能を有することを特徴とする介護物の加温・加湿保持装置。
【請求項４】
請求項１において、前記仕切り板は、前記蒸気穴をずらした二重構造になっていることを特徴とする介護物の加温・加湿保持装置。
【請求項５】
請求項２または請求項３において、前記機能保護装置は、前記異常状態が復帰されリセットボタンが押されると、前記電源の一時遮断を解除してインバーター出力を前記圧電セラミクス加湿部及び前記セラミクスヒーターに再投入する機能を有することを特徴とする介護物の加温・加湿保持装置。
【請求項６】
濡れタオル及び濡れティッシュが保持された保持槽内を、該保持槽の底である仕切り板の下に設けられた圧電セラミクス加湿部で前記仕切り板を介して超音波加湿し、かつ前記保持槽の内側側面に設けられたセラミクスヒーターで加温し、次に、前記保持槽の内側側面に設けられた温度センサー及び湿度センサーで前記保持槽内の温度及び湿度を検出し、該記検出した温度信号及び湿度信号と予め設定した設定値とを基に前記圧電セラミクス加湿部の近傍に配置された温度・湿度調整装置で前記保持槽内の湿度を８５％〜９０％、かつ温度を３５℃〜４５℃に調整することを特徴とする濡れタオル及び濡れティッシュの加温・加湿保持方法。
【発明の詳細な説明】
【０００１】
【発明の属する技術分野】
本発明は、病院や老人ホームあるいは高齢者夫婦だけの家庭などで寝たきり状態者や老人、又は赤ちゃん等のお尻拭き等用の介護用品、例えば濡れタオル、濡れティッシュの加温・加湿保持装置に関するものである。
【０００２】
【従来の技術】
病院や老人ホームあるいは高齢者夫婦だけの家庭などで寝たきり状態者や老人、又は赤ちゃん等のお尻拭き等用の介護用品である濡れタオルおよび濡れティッシュが市販されており、使い捨てで便利さが人気を呼んでいる。
【０００３】
また、上記の他に従来から老人や赤ちゃんのお尻拭き用には、家庭で使用済みの下着、タオル等で代用したウエスをお湯を通して暖めてから使用する方法がとられていた。これは、そのままの状態で使用せずに、拭き取り効果を考えて湿度を保持しながら、かつお尻に接触時の「ヒヤッ」とする冷たさを感じさせないように、人肌以上に加温して心地好い感触を持たせているのである。
【０００４】
【発明が解決しようとする課題】
しかしながら、上記の市販の濡れタオル及び濡れティッシュでは、冬場等の寒い季節に寝たきり状態者や老人又は赤ちゃん等のお尻拭き等の時に、お尻に接触時の「ヒヤッ」とする冷たさを不快と感じるという問題があった。
【０００５】
また、上記の家庭で使用済みの下着，タオル等で代用したウエスを、お湯を通して暖めてから使用する方法は、冬場等の寒い季節に寝たきり状態者や老人又は赤ちゃんなどのお尻拭き等の時に心地好い感触を与えるが、その都度、ウエスをお湯に浸し揉みだすという手間が掛かる問題があった。
【０００６】
したがって、病院や老人ホーム、あるいは高齢者夫婦だけの家庭などでは、これらの問題を一気に対処できる家電品が欲しいという強いニーズがある。
【０００７】
本発明の目的は、上記問題を解決すべく、濡れタオル、濡れティッシュを心地好い感触状態で使用でき、かつ病院や老人ホームでは勿論のこと、家庭でも安全に使用できる介護物の加温・加湿保持装置を提供することにある。
【０００８】
【課題を解決するための手段】
上記目的を達成するために、本発明における加温・加湿保持装置の特徴とするは、被加温・加湿物を保持する保持槽と、該保持槽の底である仕切り板の下に設けられ保持槽内を仕切り板を介して超音波加湿する圧電セラミクス加湿部と、保持槽の内側側面に設けられ保持槽内を加温するセラミクスヒーターと、保持槽の内側側面に設けられ保持槽内の温度を検出する温度センサーと、保持槽の内側側面に設けられ保持槽内の湿度を検出する湿度センサーと、温度センサー及び湿度センサーで検出した信号と予め設定した設定値とに基づき保持槽内の温度及び湿度を調整する温度・湿度調整装置と、温度及び湿度の異常時に圧電セラミクス加湿部、セラミクスヒーター及び温度・湿度調整装置を保護する機能保護装置とを具備し、
圧電セラミクス加湿部は、水を貯える水槽容器と、水を振動させる圧電セラミクス振動部とを有し、
圧電セラミクス振動部は、圧電セラミクス振動子と該圧電セラミクス振動子に固定され圧電セラミクス振動子の厚み振動を受けるステンレス薄板とを有し、圧電セラミクス振動部で、保持槽内を水槽容器の水温で水をキャビテーションさせて霧化し水蒸気状態にし、
仕切り板には、前記霧化した水蒸気を前記保持槽内に漏れ出させる蒸気穴を設け、
セラミクスヒーターは、前記保持槽内の槽内温度をインバーター制御で予め設定した設定温度に急速加温することにある。
【０００９】
具体的には本発明は次に掲げる装置を提供する。
【００１０】
本発明は、被加温・加湿物を保持する保持槽と、該保持槽の底である仕切り板の下に設けられ前記保持槽内を前記仕切り板を介して超音波加湿する圧電セラミクス加湿部と、前記保持槽の内側側面に設けられ前記保持槽内を加温するセラミクスヒーターと、前記保持槽の内側側面に設けられ前記保持槽内の温度を検出する温度センサーと、前記保持槽の内側側面に設けられ前記保持槽内の湿度を検出する湿度センサーと、前記温度センサー及び湿度センサーで検出した信号と予め設定した設定値とに基づき前記保持槽内の温度及び湿度を調整する温度・湿度調整装置と、前記温度及び湿度の異常時に前記圧電セラミクス加湿部、前記セラミクスヒーター及び前記温度・湿度調整装置を保護する機能保護装置とを具備し、
前記圧電セラミクス加湿部は、水を貯える水槽容器と、前記水を振動させる圧電セラミクス振動部とを有し、
前記圧電セラミクス振動部は、圧電セラミクス振動子と該圧電セラミクス振動子に固定され前記圧電セラミクス振動子の厚み振動を受けるステンレス薄板とを有し、前記保持槽内を前記水槽容器の水温で前記水をキャビテーションさせて霧化し水蒸気状態にするように構成され、
前記仕切り板には、前記霧化した水蒸気を前記保持槽内に漏れ出させる蒸気穴を設け、
前記セラミクスヒーターは、前記保持槽内の槽内温度をインバーター制御で予め設定した設定温度に急速加温するように構成されていることを特徴とする介護物の加温・加湿保持装置を提供する。
【００１１】
好ましくは、前記機能保護装置は、前記保持槽内の湿度が異常状態になったとき、すなわち電源投入後一定時間を経ても尚、前記設定値の範囲外で、かつ前記設定値範囲外の湿度がある時間以上継続したときには、前記設定値範囲外と継続時間とのＡＮＤ条件で前記圧電セラミクス加湿部にかかる電源を一時遮断させ直ちに警報表示させる機能と、
前記保持槽内の温度が異常状態になったとき、すなわち電源投入後一定時間を経ても尚、前記設定値の範囲外で、かつ前記設定値範囲外の温度がある時間以上継続したときには、前記設定値範囲外と継続時間とのＡＮＤ条件で前記セラミクスヒーターにかかる電源を一時遮断させ直ちに警報表示させる機能とを有する。
【００１２】
好ましくは、前記機能保護装置は、加湿用の水の貯水量が異常状態になったとき、すなわち前記水槽容器に貯えられる水量が設定値以下で、かつその状態がある時間以上継続したときには、前記貯水量の設定値範囲外と継続時間とのＡＮＤ条件で前記圧電セラミクス加湿部及び前記セラミクスヒーターにかかる電源を一時遮断させ直ちに警報表示させる機能を有する。
【００１３】
好ましくは、前記仕切り板は、前記蒸気穴をずらした二重構造になっている。
また、好ましくは、前記機能保護装置は、前記異常状態が復帰されリセットボタンが押されると、前記電源の一時遮断を解除してインバーター出力を前記圧電セラミクス加湿部及び前記セラミクスヒーターに再投入する機能を有する。
【００１４】
また、本発明は、濡れタオル及び濡れティッシュが保持された保持槽内を、該保持槽の底である仕切り板の下に設けられた圧電セラミクス加湿部で前記仕切り板を介して超音波加湿し、かつ前記保持槽の内側側面に設けられたセラミクスヒーターで加温し、次に、前記保持槽の内側側面に設けられた温度センサー及び湿度センサーで前記保持槽内の温度及び湿度を検出し、該記検出した温度信号及び湿度信号と予め設定した設定値とを基に前記圧電セラミクス加湿部の近傍に配置された温度・湿度調整装置で前記保持槽内の湿度を８５％〜９０％、かつ温度を３５℃〜４５℃に調整することを特徴とする濡れタオル及び濡れティッシュの加温・加湿保持方法を提供する。
【００１５】
【発明の実施の形態】
以下、本発明の一実施の形態例に係る介護物の加温・加湿保持装置を、図を用いて説明する。
【００１６】
図１は、本発明の一実施の形態例に係る介護物の加温・加湿保持装置の構成を示す。図に示すように、加温・加湿保持装置１は、電源部２と、圧電セラミクス加湿部である圧電セラミクス振動部３及び水槽容器８と、セラミクスヒーター４と、被加温・加湿物、例えば濡れタオル及び濡れティッシュを保持する保持槽７と、温度・湿度調整装置２２と、機能保護装置２４と、温度センサー４１及び湿度センサー４２とを含み構成されている。
【００１７】
加温・加湿保持装置１を家庭用のＡＣ単相１００Ｖに電源コード２１で接続し、電源部２から圧電セラミクス振動部３、ヒーター４、温度センサー４１及び湿度センサー４２と接続している温度・湿度調整装置２２及び機能保護装置２４に電源を供給する。図示上、装置の上蓋１１は省略してある。
【００１８】
圧電セラミクス振動部３は、圧電セラミクス振動子３ａとステンレス薄板３ｂとで構成されている。
【００１９】
圧電セラミクス振動子３ａは、交流電源２３で、発振周波数１ＭＨｚを出力する。サイズは直径５０ｍｍ、厚さ３ｍｍの振動子であり、ステンレス薄板３ｂを接着してある。
【００２０】
この圧電セラミクス振動子３ａの電極に、交流電圧を印加すると、振動子が厚くなったり薄くなったりして振動し超音波を発生する。この伸び縮みの繰り返しによる振動が、水槽容器８（受け皿）の水５に伝達し、放射圧と直進流により水面の隆起が生じ、この近傍で圧力の高い部分と低い部分が発生する。
【００２１】
この部分は次の周期では圧力の高かった部分は低く、逆に低かった部分は圧力が高くなって、水中をこの超音波が伝搬する。本装置では、１秒間に百万回の揺れと加圧、減圧の繰り返しで、この強力な超音波が上記の状態であるキャビテーションを発生させて、水面に有限振幅表面張力波が定在し、その波頭が飛散（霧化）し水蒸気状態５１となる。
【００２２】
蒸気穴空きの仕切り板１２を底とする保持槽７に入れられた被加温・加湿物、例えば濡れティッシュ６は、この仕切り板１２から漏れ出る水蒸気で加湿される。濡れティッシュ６は、市販の箱入り状態のまま入れても良い。蒸気穴空きの仕切り板１２は、装置を人為的に傾けたりした場合にも、水漏れが発生しないように蒸気穴をずらした二重構造になっている。１３は水５の給水口である。
【００２３】
次に、セラミクスヒーター４には電源部２からヒーター電源線４３で電源が供給され、保持槽７内を加温する。保持槽７の側面は穴が複数空けられており、熱伝達を良好にしている。
【００２４】
図２は、図１の加温・加湿保持装置１の温度制御及び保護回路のブロック図であり、図３は、湿度制御及び保護回路のブロック図である。
【００２５】
図２に示すように、温度制御の場合は、コンセントに電源プラグを差し込み、スイッチをオン（投入）して設定温度（図２の７０）を設定する。今６０℃にセットしたとすると、温度センサー検出温度７１が６０℃になるようにインバーター（図２の７３）の出力が電圧上げ指令となる。
【００２６】
この時、温度センサー検出温度（図２の７１）と設定温度（図２の７０）の偏差があるしきい値、例えば１０％以下になるまで電圧を上げるように指令を出す（図２の７２）。但し、負荷電流値は電流一定に制御する。セラミクの場合は電圧に関係し、電流値にはリンクしないためである。
【００２７】
こうして設定温度と温度センサー検出温度との差がなくなるように制御する。
【００２８】
もし、設定温度と温度センサー検出温度の差が１０％を越え（図２の７４）、かつ３分間以上継続（図２の７５）したならば、異常と判断してインバーター出力回路をワイプアウト（遮断）（図２の９１）する。同時にワイプアウトされると異常信号をＡＮＮ（警報）（図２の９２）表示させる。
【００２９】
そして、異常が復帰されると、リセットボタンを押すことにより、リセットボタンのＢ接点が復帰し（図２の９３）、ワイプアウトが解除され、インバーターの出力がセラミクスヒーター４に印加される（図２の７７）。
【００３０】
図３に示すように、湿度制御の場合も温度制御と同様であるが、加湿用の水の貯水量低下時（図３の８６）も、インバーターの出力回路をワイプアウトさせる。
【００３１】
これらの制御機能と保護回路で加湿及び加温された保持槽７内の温度と湿度は、温度センサー４１と湿度センサー４２で検出され、該検出した状態信号に基づき温度・湿度調整装置２２で上蓋１１に装着された状態値表示機能付きの各設定器（図示せず）による設定値を自動維持する。
【００３２】
また、機能保護装置２４は、設定値に対する異常状態時に、温度／湿度共に、ある設定値の「しきい値幅」以上か、又は以下であるかと、その継続時間との和（ＡＮＤ）条件成立で、電源２をワイプアウト、すなわち自動遮断する。同時に、ＡＮＮ（警報）表示を行なう。
【００３３】
原因復帰後、上蓋１１に配置された装着のリセットバタンが押されて遮断が解除される。水５の不足時も当然、上記同様に作動する。
【００３４】
以上の機能に加え、セラミクスヒーター４の遠赤外線による殺菌効果及び温熱効果で清潔に保てる上、常温の水道水を使用でき、万一、水５がこぼれても常温であるため、火傷等の恐れがなく安全である。
【００３５】
さらに、家庭の使い捨て用の乾いたウエスも加温、加湿して使用できるメリットがある。その上、給水忘れや設定に対して温度・湿度の異常時には、電源を自動遮断させると共に、警報表示するため、お年寄り等にもきわめて安全である。
【００３６】
また、本実施の形態例の加温・加湿保持装置１は、容量１００Ｖ，３Ａで、水蒸気および加温の立上りは、電源投入後１分以内でインバーターを使用している。
【００３７】
温度・湿度の設定範囲は、湿度が２０％〜１００％、温度が２５℃〜６０℃まで可能である。また、設定値に対する許容範囲は、温度／湿度共に設定値の±１０％で、かつ継続時間３分間に設定してある。
【００３８】
本実施の形態例の加温・加湿保持装置１の設定値は、温度３５℃〜４５℃で、湿度８５％〜９０％に設定するのが望ましい。この設定範囲が、市販の濡れタオルおよび濡れティッシュをそのままの状態で湿度保持しながら、かつお尻に接触時の「ヒヤッ」とする冷たさを感じさせず、心地好い感触を与える範囲である。
【００３９】
また、本装置の消費電力は、湿度が９０％、温度が６０℃のときで２２０Ｗである。
【００４０】
本装置の保持槽７は、市販の大きめお尻拭きサイズの濡れティッシュは１箱、普通サイズの濡れティッシュは２箱同時に収納可能である。
【００４１】
以上の述べた本実施の形態例の加温・加湿保持装置１によれば、寝たきり状態者や老人等の介護に必要なお尻拭き等用の、市販の濡れタオルおよび濡れティッシュ、あるいは乾いたウエス等をそのままの状態で湿度保持しながら、かつお尻に接触時の‘ヒヤッ’とする冷たさを人肌以上に加温して心地好い感触が得られることを実現することができた。
【００４２】
【発明の効果】
本発明によれば、病院や老人ホーム、あるいは高齢者夫婦だけの家庭などで寝たきり状態者や老人、又は赤ちゃん等のお尻拭き等用の介護用品である市販の濡れタオル及び濡れティッシュ、あるいはウエス等を、そののまの状態で湿度を保持しながら、かつお尻に接触時の‘ヒヤッ’とする冷たさを、人肌以上に加温して心地好い感触を実現することができる。
【００４３】
また、セラミクスヒーターの遠赤外線による殺菌効果及び温熱効果で清潔に保てる上、常温の水道水を使用でき、万一、水こぼれても常温であるため、火傷等の恐れがなく安全である。
【００４４】
さらに、家庭の使い捨てウエスを加温、加湿して使用できるメリットがある。その上、給水忘れや設定に対して温度・湿度の異常時には、警報・表示し電源を自動遮断させるため、お年寄り等の家庭でもきわめて安全に使用することができる。
【図面の簡単な説明】
【図１】本発明の一実施の形態例に係わる加温・加湿保持装置の構成図である。
【図２】図１の加温・加湿保持装置の温度制御及び保護回路のブロック図である。
【図３】図１の加温・加湿保持装置の湿度制御及び保護回路のブロック図である。
【符号の説明】
１…加温・加湿保持装置、２…電源部、３…圧電セラミクス振動部、３ａ圧電セラミクス振動子、３ｂ…ステンレス薄板、４…セラミクスヒーター、５…水、５１…水蒸気状態（水の霧化状態）、６…濡れティッシュ、７…保持槽、８…水槽容器、１２…仕切り板、２２…温度・湿度調整装置、２４…機能保護装置、４１…温度センサー、４２…湿度センサー
【図１】
0003592548.tif 000002
【図２】
0003592548.tif 000003
【図３】
0003592548.tif 000004